(57)【要約】【課題】出庫作業能率および入庫作業能率を飛躍的に向上させて、出・入庫時間を大幅に短縮し、作業者の負担を軽減することができるタイヤの陳列台を提供する。【解決手段】タイヤの陳列台１は、複数のタイヤ２を載置する載置台３と、この載置台３に取り付けられて当該載置台３を支持する正逆回転および方向転換可能な５個のキャスター４と、載置台３に着脱自在に取り付けられて人力により当該載置台３を介してキャスター４を正逆回転および方向転換させるハンドル５とを備えている。【選択図】図１
0003197507.tif 000002
【実用新案登録請求の範囲】
【請求項１】
タイヤを載置する載置台と、この載置台に取り付けられて当該載置台を支持する正逆回転および方向転換可能な複数のキャスターと、前記載置台に着脱自在に取り付けられて人力により当該載置台を介して前記キャスターを正逆回転および方向転換させるハンドルと、を備えてなることを特徴とするタイヤの陳列台。
【請求項２】
請求項１に記載したタイヤの陳列台において、
上記載置台は、幟を着脱自在に取り付ける幟取付け部材を備えているタイヤの陳列台。
【請求項３】
請求項１又は２に記載したタイヤの陳列台において、
上記載置台は、ポップホルダーを備えているタイヤの陳列台。
【請求項４】
請求項１乃至３のいずれか１項に記載したタイヤの陳列台において、
上記載置台は、フォークリフトのフォーク挿脱孔を備えているタイヤの陳列台。
【請求項５】
請求項１乃至４のいずれか１項に記載したタイヤの陳列台において、
上記キャスターは、制動用のストッパーを備えているタイヤの陳列台。
【請求項６】
請求項１乃至５のいずれか１項に記載したタイヤの陳列台において、
上記キャスターは、上記載置台の下面における四隅付近の４箇所と、上記載置台の下面における中央付近の１箇所に取り付けられているタイヤの陳列台。
【考案の詳細な説明】
【技術分野】
【０００１】
本考案はタイヤの陳列台に係り、特に、チェーン展開する大型カー用品店などにおいて好適なタイヤの陳列台に関するものである。
【背景技術】
【０００２】
従来、カー用品店におけるタイヤを陳列販売する手法の一例として、所定数のタイヤを載置した複数の載置台を、店舗外の空きスペースに並列設置してタイヤ売り場を形成して陳列販売する形態が知られている。
【０００３】
このように、店舗外の空きスペースにタイヤ売り場を形成して陳列販売する形態であると、開店始業時には、複数の載置台を店舗内のピットなどの保管場所から店舗外の空きスペースに移動させて並列設置し、タイヤ売り場を形成する作業（以下の説明では「出庫作業」という）がなされ、閉店終業時には、複数の載置台をタイヤ売り場から撤去して店舗内の前記保管場所に保管する作業（以下の説明では「入庫作業」という）がなされる。
【０００４】
ところで、各載置台には、４本または複数本を重ねて置いて１セットとして１ないし複数セットのタイヤが載置されるので載置荷重が比較的重くなる。このため、載置台としては周知のパレットが用いられており、作業者による手動フォークリフト操作によって出庫作業および入庫作業がなされる。
【０００５】
このように、多数の載置台の出庫作業および入庫作業は、手動フォークリフトの数が少ない場合、出庫作業能率および入庫作業能率が悪く、出・入庫時間が長くなり、作業者の負担が大きくなる問題点を有している。
【先行技術文献】
【特許文献】
【０００６】
【特許文献１】特になし
【考案の概要】
【考案が解決しようとする課題】
【０００７】
本考案は、上記の実情に鑑みてなされたもので、出庫作業能率および入庫作業能率を飛躍的に向上させて、出・入庫時間を大幅に短縮し、作業者の負担を軽減することができるタイヤの陳列台の提供を目的とするものである。
【課題を解決するための手段】
【０００８】
前記目的を達成するために、本考案に係るタイヤの陳列台は、タイヤを載置する載置台と、この載置台に取り付けられて当該載置台を支持する正逆回転および方向転換可能な複数のキャスターと、前記載置台に着脱自在に取り付けられて人力により当該載置台を介して前記キャスターを正逆回転および方向転換させるハンドルと、を備えてなることを特徴としている。
【０００９】
前記構成のタイヤの陳列台によると、タイヤを載置した載置台にハンドルを取り付け、このハンドルを把持して作業者が押し引き操作することにより、キャスターを正逆回転させて、載置台を進退させるとともに、押し引き操作に同調して左右方向の力をハンドルに負荷することで、キャスターを縦軸まわりに旋回させて載置台を方向転換することができる。
また、ハンドルは着脱可能であるので、ハンドルを抜いた状態で載置台を店舗外の空きスペースに並列設置できるのでタイヤ売り場を形成することができる。
また、従来使用されている手動フォークリフトと比較してハンドルは安価である。したがって、各店舗における複数ハンドルの保有は経済的に可能となる。このため、複数作業者の各自が１台の載置台を受け持って複数の載置台にハンドルを取り付けることにより、複数の載置台を略同時に進退および方向転することができる。その結果、出庫作業能率および入庫作業能率を飛躍的に向上させて、出・入庫時間を大幅に短縮し、作業者の負担を軽減することが可能となる。
【００１０】
前記載置台は、幟を着脱自在に取り付ける幟取付け部材を備えている。
【００１１】
前記載置台は、ポップホルダーを備えている。なお、前記の「ポップホルダー」とは、販売タイヤの仕様や価格などを表示した広告媒体としての樹脂製または布製のシートである「ポップ（Ｐｏｉｎｔ  ｏｆ  ｐｕｒｃｈａｓｅ  ａｄｖｅｒｔｉｓｉｎｇ）カード」を掲示できるホルダーである。
【００１２】
前記載置台は、フォークリフトのフォーク挿脱孔を備えている。
【００１３】
前記キャスターは、制動用のストッパーを備えている。
【００１４】
前記キャスターは、上記載置台の下面における四隅付近の４箇所と、上記載置台の下面における中央付近の１箇所に取り付けられている。これによると中央付近１箇所に取り付けられているキャスターにより載置台の中央部にかかる重量も支えることができることにより、重量による載置台の中央部の変形による沈み込みを防ぐことができる。
【考案の効果】
【００１５】
本考案に係るタイヤの陳列台によれば、複数の作業者により複数の載置台を略同時に進退および方向転することが可能である。このため、出庫作業能率および入庫作業能率を飛躍的に向上させて、出・入庫時間を大幅に短縮し、作業者の負担を軽減することができる。また、ハンドルを抜いた状態で載置台を店舗外の空きスペースに並列設置することによりタイヤ売り場を形成することができる。
【図面の簡単な説明】
【００１６】
【図１】本考案に係るタイヤの陳列台の一実施形態を示す正面斜視図である。
【図２】（Ａ）はキャスターの載置台への取付け状態の一実施形態を示す斜視図である。（Ｂ）はキャスターの一実施形態を示す拡大側面図である。
【図３】ハンドルの一実施形態を示す拡大斜視図である。
【図４】ハンドル取付孔及び幟取付け孔の一実施形態を示す拡大斜視図である。
【図５】ポップホルダーの取付け状態の一実施形態を示す拡大斜視図である。
【図６】フォークリフトのフォーク挿脱孔の一実施形態を示す拡大斜視図である。
【考案を実施するための最良の形態】
【００１７】
以下、本考案に係るタイヤの陳列台の好ましい実施形態を図面に基づいて説明する。図１は本考案に係るタイヤの陳列台の一実施形態を示す正面斜視図、図２の（Ａ）はキャスターの載置台への取付け状態の一実施形態を示す斜視図である。（Ｂ）はキャスターの一実施形態を示す拡大側面図である。
【００１８】
図１および図２において、タイヤの陳列台１は、タイヤ２を載置する載置台３と、この載置台３の下面に取り付けられて載置台３を進退および方向転換可能に支持する５個のキャスター４と、載置台３に着脱自在に取り付けられるハンドル５と、を備えている。
【００１９】
本実施例では、載置台３には、横に寝かせたタイヤ２を縦方向に４本重ねて置いたものを１セットとして、それが４セットで計１６本（約１６０〜２００ｋｇ）載置されている。載置台３は前記の計１６本のタイヤ２を載置するに十分な耐荷重（約３５０Ｋｇ）を有しているので、耐荷重の範囲内でタイヤ２を１６本以上載置しても良い。載置台３は硬質樹脂、繊維強化樹脂あるいは木材などによって堅牢に構成された格子状構造の立法体からなり、縦寸法Ｌと横寸法Ｗがそれぞれ１２００ｍｍに設定された投影平面形状が正方形を呈し、１５０ｍｍの厚みＴを有している。なお、本実施形態では硬質樹脂製の載置台３を用いている。
【００２０】
キャスター４は、図２（Ａ）のように、載置台３の下面における四隅付近の４箇所に振り分けて各箇所毎に１個と、載置台３の下面における中央付近の１箇所の計５個が取り付けられる。図２（Ｂ）に示すように、各キャスター４は周知のもので、鉛直軸線を有するスラストベアリング４ａの下輪にフォーク部４ｂが連設され、このフォーク部４ｂに横架した車軸４ｃによって動輪４ｄが回転自在に軸支されており、上端のフランジ４ｅを介して載置台３の下面所定位置に取り付けられる。キャスター４の耐荷重は１個につき１５０ｋｇ程度であり、５つで７５０ｋｇの耐荷重がある。これにより、５個のキャスター４によってタイヤ２が１６本の場合約１６０〜２００Ｋｇの荷重を分担して支える。また、本実施例では、上記のようにキャスター４を載置台３の下面における中央付近に１箇所設けているが、これは、重量による載置台の変形による中央部の沈み込みを防ぐと共に、載置台３が気温の変化や、日光に晒されることによって、変形し載置台３の中央部が凹んで沈み込む現象も見られることから、この現象も防ぐことができる。
【００２１】
前記５個のキャスター４において、例えば、載置台３の後側部下面に取り付けられている一対のキャスター４は、それぞれ図２（Ｂ）に示すように、制動用のストッパー６を備えている。このストッパー６は作業者の足踏み操作（矢印Ｆ１）によって閉じられ、爪先の押し上げ操作（矢印Ｆ２）によって開放される。即ち、ストッパー６が実線で示す傾斜姿勢で保持されると動輪４ｄとの干渉が解かれた開状態を呈して動輪４ｄの転動を許容する。また、作業者の足踏み操作によってストッパー６を二点鎖線で示す傾斜姿勢に姿勢変換すると、動輪４ｄに干渉した閉状態を呈して動輪４ｄを制動するように構成されている。なお、ストッパー６の二点鎖線で示す傾斜姿勢から実線で示す傾斜姿勢への復帰変換は、図２（Ｂ）の状態において、キャスター４をスラストベアリング４ａの鉛直軸線まわりに１８０度回転させることにより、作業者の足踏み操作によって行うこともできる。
【００２２】
図１および図３において、ハンドル５は、金属製丸パイプ（例えばステンレス製丸パイプ）からなる水平把持部５ａと、金属製角パイプ（例えばステンレス製角パイプ）からなる２本の支柱５ｂ，５ｂおよび金属製の板材（例えばステンレス製の板材）からなるフランジ５ｄとを備えた門形のもので、水平把持部５ａは、その両端が支柱５ｂ，５ｂの上端部に接合される。そして、フランジ５ｄには、一対の角形貫通孔５ｅ，５ｅが予め設けられており、これら角形貫通孔５ｅ，５ｅに支柱５ｂ，５ｂを下端側から挿通し、その下端部近傍を着脱部５ｃ，５ｃとしてフランジ５ｄの下側に露出させた状態で、支柱５ｂ，５ｂの外周と角形貫通孔５ｅ，５ｅの内周とを適宜溶接することにより、支柱５ｂ，５ｂにフランジ５ｄが接合される。なお、ハンドル５は、出庫作業時および入庫作業時にのみ載置台３に取り付けられ、出・入庫作業の終了時に載置台３から取り外される。
【００２３】
一方、図４に示すように、載置台３の後端部近傍には、ハンドル５における着脱部５ｃ，５ｃ（図３参照）の下端部を着脱自在に且つガタツクことなく挿通保持する一対のハンドル挿入孔７，７が設けられている。ハンドル挿入孔７，７のスパンＷ１は、図３に示すハンドル５における着脱部５ｃ，５ｃのスパンＷ１と等しい値に設定してある。
ハンドル挿入孔７，７への着脱部５ｃ，５ｃの挿入は、フランジ５ｄの下面が載置台３の上面に当接するまでなされる。したがって、フランジ５ｄは、ハンドル挿入孔７，７への着脱部５ｃ，５ｃの挿入量を決定するストッパーの役割と、載置台３にハンドル５を取り付けた後のハンドル５の振れ止めの役割を果たす。尚、本実施例では、一対のハンドル挿入孔７，７を載置台３の後端部近傍のみに設けているが、載置台３のハンドル挿入孔７，７を設ける位置はこの位置のみに限らず、載置台３の前端部近傍や両側端部近傍にもハンドル挿入孔７，７を設けてもよい。
【００２４】
図１、図４、図５に示すように、載置台３には、タイヤ２の訴求効果を高めるための幟８Ａやポップカード９Ａが着脱自在に取り付けられる。幟８Ａはタイヤ２の販売促進文字などが表示された縦長長方形の布部８Ａａと、この布部８Ａａの上縁部と一側縁部が連結保持されるパイプ製の鉤形竿部８Ａｂとを備え、ポップカード９Ａは販売タイヤの仕様や価格などが表示された横長長方形のシート状の厚紙製，樹脂製または布製であり、透明樹脂製で板状のポップホルダー９の隙間Ｓに着脱自在に挟み込まれて掲示される。ポップホルダー９は、底部９ｅを有して前後で対向し左右両端が開放され前壁部９ａと後壁部９ｂおよび後壁部９ｂの上端から後方に折曲形成された係止片９ｃを備え、載置台３の前端部上面に係止片９ｃを係止して、複数のビス９ｄにより係止片９ｃを載置台３の前端部に固着することにより、載置台３にポップホルダー９が取り付けられ、前壁部９ａ後壁部９ｂの間に形成される隙間Ｓにポップカード９Ａが着脱自在に挟み込まれて掲示される。
【００２５】
図１，図４に示すように、載置台３における一側の後端部近傍の側壁には、幟８Ａを取り付けるための幟取付け部材８が設けられている。幟取付け部材８は、載置台３における一側の後端部近傍の側壁に幟８Ａにおける鉤形竿部８Ａｂの下端部がガタツクことなく着脱自在に挿入される鉛直方向の金属製で有底の丸パイプ（例えばステンレス製で有底の丸パイプ）８ｂが取り付けられているものでなり、パイプ８ｂには、溶接により金属製の板材（例えばステンレス製の坂材）からなる取付板８ｃが接合されており、この取付坂８ｃを載置台３における一個の後端部近傍の側面にあてがった状態で、複数のビス８ｄにより取付板８ｃを載置台３の後端部近傍の側面に固着することにより、載置台３にパイプ８ｂが取り付けられ、鉤形竿部８Ａｂの下端部はパイプ８ｂの上端開口８ａから着脱される。
【００２６】
図６に示すように、載置台３には、その前端面から後方、及び一方の側面から他方の側面に向けて体内に延在する一対のフォーク挿脱孔３０，３０が設けられ、各フォーク挿脱孔３０，３０は、手動フォークリフトや自動フォークリフトのフォーク部が挿脱される。
【００２７】
前記構成のタイヤの陳列台１によれば、所定数（４セット）のタイヤ２を載置した載置台３にハンドル５を取り付ける。載置台３へのハンドル５の取り付けは、ハンドル５における着脱部５ｃ，５ｃを各ハンドル挿入孔７，７に上側から挿通することによってなされる。そして、作業者がハンドル５の水平把持部５ａを把持して押し引き操作することにより、キャスター４を正逆回転させて、載置台３を進退させるとともに、押し引き操作に同調して左右方向の力をハンドル５に負荷することで、キャスター４を縦軸まわり（スラストベアリング４ａの軸まわり）に旋回させて載置台３を方向転換することができる。また、本実施例では、一対のハンドル挿入孔７，７を載置台３の後端部近傍のみに設けているが、載置台３の前端部近傍や両側端部近傍にもハンドル挿入孔７，７を設ければ、載置台３の四辺の端部近傍のいずれにもハンドル５を取り付けることが可能となり、例えば、背後に壁があるような場所に売り場を形成する場合には、載置台３の前端部近傍に設けたハンドル挿入孔７，７にハンドル５を取り付けて出庫作業を行えば、タイヤの陳列台１を背後の壁にぎりぎりにまで接して売り場を形成することができるというように、出庫作業や入庫作業の際に陳列台３の都合の良い位置にハンドル挿入孔７，７にハンドル５を取り付けて出庫作業や入庫作業を行うことができる。
【００２８】
従来使用されている手動フォークリフトと比較してハンドル５は安価であることにより、各店舗における複数ハンドル５の保有は経済的に可能となる。このため、例えば、３本のハンドル５を用意し、３人の作業者の各自が１台の載置台３を受け持って３台の載置台３にそれぞれハンドル５を取り付けることにより、３台の載置台３を略同時に進退および方向転することができる。その結果、出庫作業能率および入庫作業能率を飛躍的に向上させて、出・入庫時間を大幅に短縮し、作業者の負担を軽減することが可能となる。
【００２９】
本考案に係るタイヤの陳列台１は、その載置台３に設けた幟取付け部材８を利用して幟８Ａを載置台３に取り付けることができるとともに、ポップホルダー９を利用してポップカード９Ａを載置台３に取り付けることができるので、載置台３に載置されているタイヤ２の訴求効果を積極的に高めることが可能である。
【００３０】
また、載置台３には、フォークリフトのフォーク部を挿脱するフォーク挿脱孔３０，３０が備わっていることにより、万一、キャスター４のいずれかに故障が発生しても、フォーク挿脱孔３０，３０を利用することにより、フォークリフトによって載置台３を緊急移動させることができる。
【００３１】
本考案に係るタイヤの陳列台１における５個のキャスター４において、例えば、載置台３の後側部下面に取り付けられている一対のキャスター４は、それぞれ制動用のストッパー６を備えているので、出庫作業終了時および入庫作業終了時において作業者の足踏み操作によってストッパー６を閉じて制動状態に保持しておけば、出庫作業終了後および入庫作業終了後において、載置台３や載置台３に載置されているタイヤ２に他部材などが衝突しても、その時の衝撃による載置台３の移動が防止される。このため、出庫作業後に、店舗外の空きスペースにおいて陳列販売形態が損なわれる不都合の発生および入庫作業後に、店舗内の保管場所において保管形態が損なわれる不都合の発生を確実に防止することができる。
【００３２】
本考案は、前記実施形態のみに限定されるものではなく、その趣旨および技術思想を逸脱しない範囲であれば、構造変形が可能である。
【産業上の利用可能性】
【００３３】
本考案のタイヤの陳列台は、複数の作業者により複数の載置台を略同時に進退および方向転することが可能であるため、出庫作業能率および入庫作業能率を飛躍的に向上させて、出・入庫時間を大幅に短縮し、作業者の負担を軽減することができるので、チェーン展開する大型カー用品店において有用である。
【符号の説明】
【００３４】
１  タイヤの陳列台
２  タイヤ
３  載置台
４  キャスター
５  ハンドル
６  ストッパー
８  幟取付け部材
８Ａ  幟
９  ポップホルダー
３０  フォーク挿脱孔
【図１】
0003197507.tif 000003
【図２】
0003197507.tif 000004
【図３】
0003197507.tif 000005
【図４】
0003197507.tif 000006
【図５】
0003197507.tif 000007
【図６】
0003197507.tif 000008